【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】
波長λ１の第１光源と、波長λ２（λ１＜λ２）の第２光源と、波長λ３（λ２＜λ３）の第３光源と、対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２の保護層を介して第２光情報記録媒体の情報記録面に集光させることによって、情報の記録及び／又は再生を行うことが可能となっており、更に前記第３光源からの光束を、厚さｔ３（ｔ１＜ｔ３且つｔ２＜ｔ３）の保護層を介して第３光情報記録媒体の情報記録面に集光させることによって、情報の記録及び／又は再生を行うことが可能となっている光ピックアップ装置であって、
前記対物レンズは、前記第１光情報記録媒体、前記第２光情報記録媒体及び前記第３光情報記録媒体に対してそれぞれ記録及び／又は再生を行う際に、前記第１光源、前記第２光源、及び前記第３光源からそれぞれ照射された光束が共通して通過して各情報記録面に集光スポットを形成するようになっている光軸を中心とした内側領域と、前記第１光情報記録媒体及び前記第２光情報記録媒体に対してそれぞれ記録及び／又は再生を行う際に、前記第１光源及び前記第２光源からそれぞれ照射された光束が共通して通過して各情報記録面に集光スポットを形成するようになっている光軸を中心とした中間領域と、前記第１光情報記録媒体に対して記録及び／又は再生を行う際に、前記第１光源から照射された光束が通過して該情報記録面に集光スポットを形成するようになっている光軸を中心とした外側領域とを有し、
更に、前記第１光源から出射された光束の光軸と、前記第２光源から出射された光束の光軸とを一致させて出射する第１ビームスプリッタと、
前記第１ビームスプリッタから出射された光束に、前記第３光源から出射された光束の光軸を一致させて出射する第２ビームスプリッタと、
前記第１ビームスプリッタと前記第２ビームスプリッタとの間に配置され、前記第１光源から出射された光束の発散角を変えることなく、前記第２光源から出射された光束の発散角を大きくする回折素子と、を有することを特徴とする光ピックアップ装置。
【請求項２】
前記第１ビームスプリッタと前記第２ビームスプリッタとの間に、入射された光束の径を拡大して出射するビームエキスパンダーを有することを特徴とする請求項１に記載の光ピックアップ装置。
【請求項３】
前記第１ビームスプリッタと前記第２ビームスプリッタとの間に、ビーム整形素子を有することを特徴とする請求項１又は２に記載の光ピックアップ装置。
【請求項４】
前記第１光源に対向して配置され、前記第１光源から出射された光束の発散角を変える第１カップリング素子を有することを特徴とする請求項１乃至３のいずれかに記載の光ピックアップ装置。
【請求項５】
前記第２光源に対向して配置され、前記第２光源から出射された光束の発散角を変える第２カップリング素子を有することを特徴とする請求項１乃至４のいずれかに記載の光ピックアップ装置。
【請求項６】
波長λ１の第１光源と、波長λ２（λ１＜λ２）の第２光源と、波長λ３（λ２＜λ３）の第３光源と、対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２の保護層を介して第２光情報記録媒体の情報記録面に集光させることによって、情報の記録及び／又は再生を行うことが可能となっており、更に前記第３光源からの光束を、厚さｔ３（ｔ１＜ｔ３且つｔ２＜ｔ３）の保護層を介して第３光情報記録媒体の情報記録面に集光させることによって、情報の記録及び／又は再生を行うことが可能となっている光ピックアップ装置であって、
前記対物レンズは、前記第１光情報記録媒体、前記第２光情報記録媒体及び前記第３光情報記録媒体に対してそれぞれ記録及び／又は再生を行う際に、前記第１光源、前記第２光源、及び前記第３光源からそれぞれ照射された光束が共通して通過して各情報記録面に集光スポットを形成するようになっている光軸を中心とした内側領域と、前記第１光情報記録媒体及び前記第２光情報記録媒体に対してそれぞれ記録及び／又は再生を行う際に、前記第１光源及び前記第２光源からそれぞれ照射された光束が共通して通過して各情報記録面に集光スポットを形成するようになっている光軸を中心とした中間領域と、前記第１光情報記録媒体に対して記録及び／又は再生を行う際に、前記第１光源から照射された光束が通過して該情報記録面に集光スポットを形成するようになっている光軸を中心とした外側領域とを有し、
更に、前記第１光源から出射された光束と前記第２光源から出射された光束とが共通して通過する光路内に配置され、前記第１光源から出射された光束の発散角を変えることなく、前記第２光源から出射された光束の発散角を大きくする回折素子と、
前記回折素子を通過した光束に、前記第３光源から出射された光束の光軸を一致させて出射するビームスプリッタと、を有することを特徴とする光ピックアップ装置。
【請求項７】
請求項１乃至６のいずれかに記載の光ピックアップ装置に用いられることを特徴とする対物レンズ。
【手続補正２】
【補正対象書類名】明細書
【補正対象項目名】０００６
【補正方法】変更
【補正の内容】
【０００６】
【課題を解決するための手段】
請求項１に記載の光ピックアップ装置は、波長λ１の第１光源と、波長λ２（λ１＜λ２）の第２光源と、波長λ３（λ２＜λ３）の第３光源と、対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２の保護層を介して第２光情報記録媒体の情報記録面に集光させることによって、情報の記録及び／又は再生を行うことが可能となっており、更に前記第３光源からの光束を、厚さｔ３（ｔ１＜ｔ３且つｔ２＜ｔ３）の保護層を介して第３光情報記録媒体の情報記録面に集光させることによって、情報の記録及び／又は再生を行うことが可能となっている光ピックアップ装置であって、
前記対物レンズは、前記第１光情報記録媒体、前記第２光情報記録媒体及び前記第３光情報記録媒体に対してそれぞれ記録及び／又は再生を行う際に、前記第１光源、前記第２光源、及び前記第３光源からそれぞれ照射された光束が共通して通過して各情報記録面に集光スポットを形成するようになっている光軸を中心とした内側領域と、前記第１光情報記録媒体及び前記第２光情報記録媒体に対してそれぞれ記録及び／又は再生を行う際に、前記第１光源及び前記第２光源からそれぞれ照射された光束が共通して通過して各情報記録面に集光スポットを形成するようになっている光軸を中心とした中間領域と、前記第１光情報記録媒体に対して記録及び／又は再生を行う際に、前記第１光源から照射された光束が通過して該情報記録面に集光スポットを形成するようになっている光軸を中心とした外側領域とを有し、
更に、前記第１光源から出射された光束の光軸と、前記第２光源から出射された光束の光軸とを一致させて出射する第１ビームスプリッタと、
前記第１ビームスプリッタから出射された光束に、前記第３光源から出射された光束の光軸を一致させて出射する第２ビームスプリッタと、
前記第１ビームスプリッタと前記第２ビームスプリッタとの間に配置され、前記第１光源から出射された光束の発散角を変えることなく、前記第２光源から出射された光束の発散角を大きくする回折素子と、を有することを特徴とする。本発明によれば、前記第１光源から出射された光束は、前記対物レンズに入射する際には平行光束とすることができ、それにより温度変化や半導体レーザに特有のモードホッピング現象（光源波長のふらつき）が生じても、それに起因した収差劣化を補正しやすいという利点がある。一方、前記第２光源から出射された光束は、前記第１光源から出射された光束と同じ光路をたどりながらも、光源波長差に基づく前記回折素子の回折効果により、前記対物レンズに入射する際には発散光束とでき、それにより球面収差補正をしやすいという利点がある。
【手続補正３】
【補正対象書類名】明細書
【補正対象項目名】０００９
【補正方法】変更
【補正の内容】
【０００９】
請求項４に記載の光ピックアップ装置は、請求項１〜３のいずれかの発明において、前記第１光源に対向して配置され、前記第１光源から出射された光束の発散角を変える第１カップリング素子を有することを特徴とする。
請求項５に記載の光ピックアップ装置は、請求項１〜４のいずれかの発明において、前記第２光源に対向して配置され、前記第２光源から出射された光束の発散角を変える第２カップリング素子を有することを特徴とする。
請求項６に記載の光ピックアップ装置は、波長λ１の第１光源と、波長λ２（λ１＜λ２）の第２光源と、波長λ３（λ２＜λ３）の第３光源と、対物レンズを含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２の保護層を介して第２光情報記録媒体の情報記録面に集光させることによって、情報の記録及び／又は再生を行うことが可能となっており、更に前記第３光源からの光束を、厚さｔ３（ｔ１＜ｔ３且つｔ２＜ｔ３）の保護層を介して第３光情報記録媒体の情報記録面に集光させることによって、情報の記録及び／又は再生を行うことが可能となっている光ピックアップ装置であって、
前記対物レンズは、前記第１光情報記録媒体、前記第２光情報記録媒体及び前記第３光情報記録媒体に対してそれぞれ記録及び／又は再生を行う際に、前記第１光源、前記第２光源、及び前記第３光源からそれぞれ照射された光束が共通して通過して各情報記録面に集光スポットを形成するようになっている光軸を中心とした内側領域と、前記第１光情報記録媒体及び前記第２光情報記録媒体に対してそれぞれ記録及び／又は再生を行う際に、前記第１光源及び前記第２光源からそれぞれ照射された光束が共通して通過して各情報記録面に集光スポットを形成するようになっている光軸を中心とした中間領域と、前記第１光情報記録媒体に対して記録及び／又は再生を行う際に、前記第１光源から照射された光束が通過して該情報記録面に集光スポットを形成するようになっている光軸を中心とした外側領域とを有し、
更に、前記第１光源から出射された光束と前記第２光源から出射された光束とが共通して通過する光路内に配置され、前記第１光源から出射された光束の発散角を変えることなく、前記第２光源から出射された光束の発散角を大きくする回折素子と、
前記回折素子を通過した光束に、前記第３光源から出射された光束の光軸を一致させて出射するビームスプリッタと、を有することを特徴とする。
請求項７に記載の対物レンズは、請求項１乃至６のいずれかに記載の光ピックアップ装置に用いられることを特徴とする。